(57)【要約】【課題】物干し棚を使用しない非使用状態において物干し棚が邪魔にならない物干し具を提供することを課題とする。【解決手段】支持部材５の両側にそれぞれ、前記左右方向で内側に位置する棒状部材１，２それぞれに一体回転自在となる状態で取付部材１８を備えさせ、それら左右一対の取付部材１８，１８に、前記前後一対の物干し棚６，７の前後方向一端を連結し、それら前後一対の物干し棚６，７を水平にした使用姿勢と該使用姿勢となる水平に対して該物干し棚６，７の取付部材側端とは離間する遊端側が該取付部材側端よりも上方に位置して傾斜姿勢又は垂直姿勢となる非使用姿勢とに姿勢変更自在に構成した。【選択図】図６
2008167926.tif 000002
【特許請求の範囲】
【請求項１】
２本の棒状部材それぞれの中間部を水平軸芯周りで回動自在に継手を介して連結してなり、側面視において該２本の棒状部材が互いに重なり合う格納状態から開脚させてＸ字状となって床面に踏ん張らせる使用状態に切り換え自在な脚体と、該脚体を左右にそれぞれ配置して両者を連結するための横長状の支持部材と、前記支持部材に支持され、該支持部材の前後に配置される前後一対の物干し棚とを備えてなる物干し具であって、
前記支持部材の両側にそれぞれ、前記左右方向で内側に位置する棒状部材それぞれに一体回転自在となる状態で取付部材を備えさせ、それら左右一対の取付部材に、前記前後一対の物干し棚の前後方向一端を連結し、それら前後一対の物干し棚を水平にした使用姿勢と該使用姿勢となる水平に対して該物干し棚の取付部材側端とは離間する遊端側が該取付部材側端よりも上方に位置して傾斜姿勢又は垂直姿勢となる非使用姿勢とに姿勢変更自在に構成したことを特徴とする物干し具。
【請求項２】
前記物干し棚が、左右一対の支持アームと、それらアーム間に前後方向に所定間隔を置いて掛け渡された多数の棒体からなり、前記左右の取付部材の前後それぞれに前記前後に位置する各物干し棚の左右の支持アームの取付部材側端を係止保持するための係止部を備えさせてなる請求項１記載の物干し具。
【請求項３】
前記係止部が、前記物干し棚の左右の支持アームの取付部材側端を上方から差し込み可能な開口部と、該開口部から差し込んだ該取付部材側端の左右に突出する突出部を回転自在に受け止め支持するための受止部とから構成してなる請求項２に記載の物干し具。
【請求項４】
前記取付部材の受止部にて前記突出部が受止められた支持アームを該突出部を支点にして揺動操作することにより、前記物干し棚を非使用姿勢に姿勢変更した状態において、前記支持アームの先端部が接当して該物干し棚を非使用姿勢に維持するための接当部を該取付部材に備えさせてなる請求項３記載の物干し具。
【請求項５】
前記接当部が、前後方向両端のそれぞれに接当面を備え、前記脚体が開脚状態では、前記支持アームの先端部が前記接当面の一方側の第１接当面に接当し、かつ、該脚体が格納状態では、該支持アームの先端部が該接当面の他方側の第２接当面に接当させることによって、前記物干し棚を非使用姿勢に維持するように構成してなる請求項４記載の物干し具。
【請求項６】
前記突出部が前記受止部に対して上方へ移動することを許容するべく、該受止部を上方開放型のＵの字状の切欠きから構成し、前記突出部を上方へ移動させることにより、支持アームの先端部を前記接当部の上方を迂回させながら該接当部の両端の接当面にそれぞれ接当させる位置に移動可能に構成してなる請求項５記載の物干し具。
【発明の詳細な説明】
【技術分野】
【０００１】
本発明は、２本の棒状部材それぞれの中間部を水平軸芯周りで回動自在に継手を介して連結してなり、側面視において該２本の棒状部材が互いに重なり合う格納状態から開脚させてＸ字状となって床面に踏ん張らせる使用状態に切り換え自在な脚体と、該脚体を左右にそれぞれ配置して両者を連結するための横長状の支持部材と、前記支持部材に支持され、該支持部材の前後に配置される前後一対の物干し棚とを備えてなる物干し具に関する。
【背景技術】
【０００２】
この種の物干し具は、物干しを行いたい場合には、脚体をＸ字状に開脚させて床面に踏ん張らせる使用状態にしてから、物干し棚に物干しを行わせることができるものが既に提案されている。
これは、左右の各脚体を構成する２本の棒状部材それぞれの下部側部位に、物干し棚取付用ブラケットを固定し、それらブラケットに物干し棚を構成する左右のアーム部の一端を枢支連結して、物干し具の前後に水平姿勢の物干し棚を備えさせることができるようにしている（例えば、特許文献１参照）。
【特許文献１】特開２００５−３４８９０８号公報（図１参照）
【発明の開示】
【発明が解決しようとする課題】
【０００３】
前記特許文献１の物干し具では、物干し棚を使用しない非使用状態においても、物干し棚が前後方向に大きく突出しているため、それら物干し棚が邪魔になるものであった。特に、前記アーム部の一端を枢支連結する棒状部材の部位が、２本の棒状部材の回動軸芯から少し離間する位置になっているため、更に物干し棚の突出量が増大するものであった。
【０００４】
本発明が前述の状況に鑑み、解決しようとするところは、物干し棚を使用しない非使用状態において物干し棚が邪魔にならない物干し具を提供することを課題とする。
【課題を解決するための手段】
【０００５】
本発明の物干し具は、２本の棒状部材それぞれの中間部を水平軸芯周りで回動自在に継手を介して連結してなり、側面視において該２本の棒状部材が互いに重なり合う格納状態から開脚させてＸ字状となって床面に踏ん張らせる使用状態に切り換え自在な脚体と、該脚体を左右にそれぞれ配置して両者を連結するための横長状の支持部材と、前記支持部材に支持され、該支持部材の前後に配置される前後一対の物干し棚とを備えてなる物干し具であって、前記支持部材の両側にそれぞれ、前記左右方向で内側に位置する棒状部材それぞれに一体回転自在となる状態で取付部材を備えさせ、それら左右一対の取付部材に、前記前後一対の物干し棚の前後方向一端を連結し、それら前後一対の物干し棚を水平にした使用姿勢と該使用姿勢となる水平に対して該物干し棚の取付部材側端とは離間する遊端側が該取付部材側端よりも上方に位置して傾斜姿勢又は垂直姿勢となる非使用姿勢とに姿勢変更自在に構成したことを特徴としている。
上記のように、支持部材の両側にそれぞれ、取付部材を介して前後一対の各物干し棚の前後方向一端をそれぞれ連結することによって、脚体の回動中心軸上に各物干し棚を連結することが可能になる。このような連結とすることによって、前記脚体をＸ字状に開脚させて床面に踏ん張らせる使用状態において、水平にした使用姿勢の物干し棚を傾斜姿勢又は垂直姿勢となる非使用姿勢に姿勢変更したときに、物干し棚を脚体の回動中心軸に近づけた状態で邪魔にならない状態にすることができる。しかも、左右方向で内側に位置する棒状部材それぞれに一体回転自在となる状態で取付部材を備えさせることによって、Ｘ字状となって床面に踏ん張らせる使用状態から側面視において２本の棒状部材が互いに重なり合う格納状態へ切り換えて例えば部屋の隅等に物干し具を置いておく際に、取付部材が一体的に回転することで傾斜姿勢となり、前後方向への出っ張りを抑えることができるだけでなく、この取付部材に連結される物干し棚を脚体により一層近づけた状態で傾斜姿勢又は垂直姿勢となる非使用姿勢に姿勢変更させることができる。
【０００６】
前記物干し棚が、左右一対の支持アームと、それらアーム間に前後方向に所定間隔を置いて掛け渡された多数の棒体からなり、前記左右の取付部材の前後それぞれに前記前後に位置する各物干し棚の左右の支持アームの取付部材側端を係止保持するための係止部を備えさせてもよい。
【０００７】
前記係止部を、前記物干し棚の左右の支持アームの取付部材側端を上方から差し込み可能な開口部と、該開口部から差し込んだ該取付部材側端の左右に突出する突出部を回転自在に受け止め支持するための受止部とから構成してもよい。
【０００８】
前記取付部材の受止部にて前記突出部が受止められた支持アームを該突出部を支点にして揺動操作することにより、前記物干し棚を非使用姿勢に姿勢変更した状態において、前記支持アームの先端部が接当して該物干し棚を非使用姿勢に維持するための接当部を該取付部材に備えさせてもよい。
【０００９】
前記接当部が、前後方向両端のそれぞれに接当面を備え、前記脚体が開脚状態では、前記支持アームの先端部が前記接当面の一方側の第１接当面に接当し、かつ、該脚体が格納状態では、該支持アームの先端部が該接当面の他方側の第２接当面に接当させることによって、前記物干し棚を非使用姿勢に維持するように構成してもよい。
【００１０】
前記突出部が前記受止部に対して上方へ移動することを許容するべく、該受止部を上方開放型のＵの字状の切欠きから構成し、前記突出部を上方へ移動させることにより、支持アームの先端部を前記接当部の上方を迂回させながら該接当部の両端の接当面にそれぞれ接当させる位置に移動可能に構成してもよい。
【発明の効果】
【００１１】
支持部材の両側にそれぞれ、取付部材を介して前後一対の各物干し棚の前後方向一端をそれぞれ連結する構成にすることによって、脚体の回動中心軸上に各物干し棚を連結することが可能になることから、前記脚体をＸ字状に開脚させて床面に踏ん張らせる使用状態において、水平にした使用姿勢の物干し棚を傾斜姿勢又は垂直姿勢となる非使用姿勢に姿勢変更したときに、物干し棚を脚体の回動中心軸に近づけた状態で邪魔にならない状態にすることができ、便利に使用することができる商品価値の高い物干し具を提供することができる。しかも、脚体を使用状態から格納状態へ切り換えて例えば部屋の隅等に物干し具を置いておく際でも、取付部材が一体的に回転することで傾斜姿勢となり、前後方向への出っ張りを抑えることができるだけでなく、この取付部材に連結される物干し棚を脚体により一層近づけた状態で傾斜姿勢又は垂直姿勢となる非使用姿勢に姿勢変更させることができ、物干し具を省スペースで保管することができる。
【００１２】
前記物干し棚が、左右一対の支持アームと、それらアーム間に前後方向に所定間隔を置いて掛け渡された多数の棒体からなり、前記左右の取付部材の前後それぞれに前記前後に位置する各物干し棚の左右の支持アームの取付部材側端を係止保持するための係止部を備えさせている場合には、複数の棒体にタオル等の比較的小物の洗濯物を多数干すことができながらも、各物干し棚の左右の支持アームの取付部材側端を取付部材の係止部に係止保持させるだけで、物干し棚を取付けることができるから、ビス止め等に比べて、物干し棚の着脱を容易迅速に行える利点がある。
【００１３】
前記係止部を、前記物干し棚の左右の支持アームの取付部材側端を上方から差し込み可能な開口部と、該開口部から差し込んだ該取付部材側端の左右に突出する突出部を回転自在に受け止め支持するための受止部とから構成している場合には、支持アームの取付部材側端を上方から開口を通して内部の受止部に受止させるだけで済むことから、無理嵌めするような場合に比べて、操作性において有利になる。
【００１４】
前記取付部材の受止部にて前記突出部が受止められた支持アームを該突出部を支点にして揺動操作することにより、前記物干し棚を非使用姿勢に姿勢変更した状態において、前記支持アームの先端部が接当して該物干し棚を非使用姿勢に維持するための接当部を該取付部材に備えさせている場合には、係止等により姿勢維持させる場合に必要となる係止解除させる構成に比べて、姿勢変更操作を迅速に行うことができる。
【００１５】
前記接当部が、前後方向両端のそれぞれに接当面を備え、前記脚体が開脚状態では、前記支持アームの先端部が前記接当面の一方側の第１接当面に接当し、かつ、該脚体が格納状態では、該支持アームの先端部が該接当面の他方側の第２接当面に接当させることによって、前記物干し棚を非使用姿勢に維持するように構成している場合には、２つの接当部を備えさせる構成に比べて、構成の簡素化を図ることができるだけでなく、取付部材の大型化を抑制することができる。
【００１６】
前記突出部が前記受止部に対して上方へ移動することを許容するべく、該受止部を上方開放型のＵの字状の切欠きから構成し、前記突出部を上方へ移動させることにより、支持アームの先端部を前記接当部の上方を迂回させながら該接当部の両端の接当面にそれぞれ接当させる位置に移動可能に構成している場合には、特別な切り替え機構等を設ける必要がなく、その分構成の簡素化を図ることができる。
【発明を実施するための最良の形態】
【００１７】
図１２に、洗濯物等を干すための物干し具を示している。この物干し具は、２本の円筒パイプでなる棒状部材１，２それぞれの長手方向中間部のうちの中央部（中央部よりも上側又は下側等でもよい）を水平軸芯Ｘ周りで回動自在に継手３を介して連結してなり、図１２に示す矢印方向に２本の棒状部材１，２を回動させることで、側面視において該２本の棒状部材１，２が互いに重なり合う格納状態から開脚させてＸ字状となって床面に踏ん張らせる使用状態（図１２の状態）に切り換え自在な脚体４と、該脚体４を左右にそれぞれ配置して両者を連結するための円筒パイプでなる横長状の支持部材５と、前記支持部材５に支持され、該支持部材５の前後に配置される前後一対の物干し棚６，７を備えている。前記左右の棒状部材１，２、１，２は、互いに同一側（左右方向外側同士と内側同士）の棒状部材を、それらの上端で連結部材８，９を介して円筒状の横パイプ１０，１１にて連結されており、一方の棒状部材１，２を回動操作するだけで、横パイプ１０，１１を介して他方の棒状部材１，２も回動させることができるようになっているが、横パイプ１０，１１にて連結しないで実施することもできる。
【００１８】
前記左右の継手３，３はいずれも同一構成であるため、左側の継手３のみを、図１に基づいて説明する。
左右方向外側に位置する棒状部材１に外挿して図示していないボルトにて固定される合成樹脂製でトンネル形状の第１筒状部材１２の内側面に一体形成された第１円板状部１３と、この第１円板状部１３の内側に回動自在に重ね合わせた第２円板状部１４とから、継手３を構成している。前記第２円板状部１４は、前記内側に位置する棒状部材２に外挿して図示していないボルトにて固定される合成樹脂製でトンネル形状の第２筒状部材１５の外側面に一体形成されている。又、前記第２筒状部材１５の内側面に、前記支持部材５を内嵌するとともに後述する取付部材１８を外嵌するための円筒状部１６を内側に突出する状態で一体形成し、さらに該第２筒状部材１５の前後側面に前後方向に突出する状態で一体形成され、後述する取付部材１８の一対の突起部１８Ｔ，１８Ｔを差し込むことができる孔１７ａ，１７ｂを備えた前後一対のリブ１７Ａ，１７Ｂが一体形成されている。
【００１９】
前記支持部材５の両側にそれぞれ、前記左右方向で内側に位置する棒状部材２，２それぞれに一体回転自在となる状態で取付部材１８を備えさせ、それら左右一対の取付部材１８，１８に、前記前後一対の物干し棚６，７の前後方向一端を連結し、それら前後一対の物干し棚６，７を水平にした使用姿勢と該使用姿勢となる水平に対して該物干し棚６，７の取付部材側端とは離間する遊端側が該取付部材側端よりも上方に位置して傾斜姿勢又は垂直姿勢となる非使用姿勢とに姿勢変更自在に構成してある。
【００２０】
前記前後の物干し棚６，７は、同一構成であり、一方の物干し棚６について説明すれば、図１２に示すように、左右一対の支持アーム１９，２０と、それらアーム１９，２０間に前後方向に所定間隔を置いて掛け渡された多数（図では６本であるが、何本でもよいが、３本以上が好ましい）の棒体２１から物干し棚６を構成し、前記左右の取付部材１８，１８の前後それぞれに、前記前後に位置する各物干し棚６，７の左右の支持アーム１９，２０の取付部材側端を係止保持するための係止部２２を備えさせている。前記左右の支持アーム１９，２０のうちの左側の支持アーム１９を図３に示し、右側の支持アーム２０を図１０（ａ）〜（ｄ）に示しているが、細部において両者を異ならせている。これら支持アーム１９，２０は、基本的には、左右方向内側に開口するアーム本体１９Ａ，２０Ａと、このアーム本体１９Ａ，２０Ａの内部に長手方向に所定間隔を置いて内側に開口する円筒状部１９Ｂ，２０Ｂの多数（図では６本であるが、何本でもよいが、３本以上が好ましい）と、それら円筒状部１９Ｂ，１９Ｂ、２０Ｂ，２０Ｂ間に備えさせた十字状のリブ１９Ｃ，２０Ｃとを一体形成して構成されている。前記アーム本体１９Ａ，２０Ａの下端には下方に延びる前後一対の補強用の脚部１９Ｄ，２０Ｄを一体形成されている。図３では、脚部１９Ｄが角筒形状であるのに対して、図１０では、円筒形状であるが、同一の形状であってもよいし、場合によっては無くてもよい。図１０で示した前記円筒状部２０Ｂは、スペースの関係上４個の場合を示しているが、棒体２１の本数と同数の６個設けて実施することもできる。
【００２１】
前記取付部材１８について詳述すれば、図２、図９及び図１１に示すように、下面が開放されたほぼ箱型形状からなるとともに、合成樹脂にて形成されている。その箱型を構成する左右板部１８Ａ，１８Ｂに、図１で示した前記円筒状部１６に挿入可能な貫通孔１８Ｋ，１８Ｋを備え、該箱型の天板部１８Ｃの前後端から前後板部１８Ｄ，１８Ｅの上下方向下部側までに渡って形成されるほぼ長方形状の開口部２３，２３を備え、前記左右板部１８Ａ，１８Ｂの内側面のそれぞれに、上方が前記開口部２３に連なって開口されたＵ字状のリブからなる受止部２５を備えている。従って、前記係止部２２を、前記物干し棚の左右の支持アーム１９，２０の取付部材側端１９Ｅ，２０Ｅを上方から差し込み可能な前記開口部２３と、該開口部２３から差し込んだ該取付部材側端の左右に突出する一方が閉じられた円筒部材からなる突出部２４を回転自在に受け止め支持するための前記受止部２５とから構成することができるようになっているが、他の構成であってもよい。尚、前記取付部材１８の突起部１８Ｔ，１８Ｔを、図１で示した孔１７ａ，１７ｂに差し込むことによって、内側の棒状部材２と一体的に回動することができるようになっているが、他の連結方法を用いてもよい。
【００２２】
前記取付部材１８の受止部２５にて前記突出部２４が受止められた支持アーム１９又は２０を該突出部２４を支点にして揺動操作することにより、前記物干し棚６又は７を非使用姿勢に姿勢変更した状態において、前記支持アーム１９又は２０の先端部１９Ｓ，２０Ｓが接当して該物干し棚７又は８を非使用姿勢に維持するための接当部２６，２７を該取付部材１８に備えさせている。
【００２３】
具体的には、前記接当部２６又は２７が、前後方向両端のそれぞれに接当面２６Ａ，２６Ｂ又は２７Ａ，２７Ｂを備え、図８に示すように、前記脚体４，４が開脚状態では、前記支持アーム１９，２０の先端部１９Ｓ，２０Ｓが前記接当面２６Ａ，２６Ｂ又は２７Ａ，２７Ｂの一方側の第１接当面２６Ａ，２７Ａに接当し、かつ、図６及び図７に示すように、該脚体４，４が格納状態では、該支持アーム１９，２０の先端部１９Ｓ，２０Ｓが該接当面２６Ａ，２６Ｂ又は２７Ａ，２７Ｂの他方側の第２接当面２６Ｂ，２７Ｂに接当させることによって、前記物干し棚６，７を非使用姿勢に維持するように構成している。
【００２４】
前述したように、前記突出部２４が前記受止部２５に対して上方へ移動することを許容するべく、該受止部２５を上方開放型のＵの字状の切欠きから構成し、前記突出部２４を上方へ移動させることにより、支持アーム１９又は２０の先端部１９Ｓ又は２０Ｓを前記接当部２６又は２７の上方を迂回させながら該接当部２６又は２７の両端の接当面２６Ａ，２６Ｂ又は２７Ａ，２７Ｂにそれぞれ接当させる位置に移動可能に構成している。
【００２５】
前記のように構成された物干し具の物干し棚６，７を非使用姿勢に維持させることを更に詳述すれば、まず図６及び図７に示すように、脚体４を構成する棒状部材１，２を図において（左右の側面視において）重ね合わせるように回動させることによって、取付部材１８が側面視において左上がりの傾斜姿勢になる。この状態から前方側の物干し棚６を突出部２４を支点にして水平軸芯Ｘ１周りで持ち上げることによって、物干し棚６の上端が下端よりも後側に位置した傾斜姿勢になると、前記接当部２６の第２接当面２６Ｂに接当してそれ以上後方に倒れることを阻止することができ、物干し棚６を非使用姿勢に維持することができるようになっている。尚、非使用姿勢の物干し棚６が垂直姿勢よりも後方に倒れ込んだ傾斜姿勢になっていることから、自重により前方側へ移動することがないようになっている。そして、非使用姿勢の物干し棚６を前方側へ回動させることによって、図４及び図５で示す水平の使用姿勢に戻すことができるようになっている。前記物干し棚６，７の使用姿勢では、支持アーム１９又は２０の先端部１９Ｓ又は２０Ｓが取付部材１８の天板部１８に接当するとともに、よりも前記支持アーム１９又は２０の取付部材側端１９Ｅ，２０Ｅの下面が前後板部１８Ｄ，１８Ｅの上端に接当することによって、使用姿勢を維持することができるようになっている。
【００２６】
次に、前方側の物干し棚７を突出部２４を支点にして水平軸芯Ｘ２周りで回動させることによって、接当部２７の第１接当面２７Ａに接当する。この状態から物干し棚７を少し上方に持ち上げてから突出部２４を支点にして水平軸芯Ｘ２周りで回動させることによって、支持アーム２０の先端部２０Ｓが接当部２７の上方を迂回しながら第２接当面２７Ｂ側へ移動する。この移動が完了した時点で取付部材１８の後板部１８Ｅの内面に取付部材側端２０Ｅの下面が接当し、その時点で支持アーム２０を下方に下げることによって、図に示すように、支持アーム２０の先端部２０Ｓが第２接当面２７Ｂに接当した状態になると同時に、開口部２３に支持アーム２０の上面が接当した状態になり、物干し棚７が前後いずれの方向へも回動できない状態、つまり、物干し棚７を非使用姿勢に維持することができるようになっている。前記非使用姿勢に維持されている物干し棚７を上方に持ち上げることによって、第２接当面２７Ｂに支持アーム２０の先端部２０Ｓが接当した状態を解除してから、水平となる使用姿勢側へ回動させながら支持アーム２０の先端部２０Ｓを接当部２７の上を乗り越えさせる。そして、接当部２７を乗り越えた後は、前記支持アーム２０を下方に下降させながら更に回動させることによって、図４及び図５で示す水平の使用姿勢に戻すことができるようになっている。
【００２７】
今度は、図８に示すように、脚体４を構成する棒状部材１，２を開脚させた使用状態において、物干し棚６，７を非使用姿勢に維持させることを説明する。まず、前方側の物干し棚６を突出部２４を支点にして水平軸芯Ｘ１周りで回動させることによって、接当部２６の第２接当面２６Ｂに接当する。この状態から物干し棚６を少し上方に持ち上げてから突出部２４を支点にして水平軸芯Ｘ１周りで回動させることによって、支持アーム１９の先端部１９Ｓが接当部２６の上方を迂回しながら第１接当面２６Ａ側へ移動する。この移動が完了した時点で取付部材１８の前板部１８Ｄの上端から内部に延びる突出片１８Ｆに取付部材側端１９Ｅの下面が接当し、その時点で支持アーム１９を下方に下げることによって、図に示すように、支持アーム１９の先端部１９Ｓが第１接当面２６Ａに接当した状態になると同時に、突出片１８Ｆに取付部材側端１９Ｅの下面が接当した状態になり、物干し棚６が前後いずれの方向へも回動できない状態、つまり、物干し棚６を非使用姿勢に維持することができるようになっている。前記非使用姿勢に維持されている物干し棚６を上方に持ち上げることによって、第１接当面２６Ａに支持アーム１９の先端部１９Ｓが接当した状態を解除してから、水平となる使用姿勢側へ回動させながら支持アーム１９の先端部１９Ｓを接当部２６の上を乗り越えさせる。そして、接当部２６を乗り越えた後は、前記支持アーム１９を下方に下降させながら更に回動させることによって、図４及び図５で示す水平の使用姿勢に戻すことができるようになっている。
【００２８】
前記後方側の物干し棚７を突出部２４を支点にして水平軸芯Ｘ２周りで持ち上げることによって、物干し棚７の上端が下端よりも前側に位置した傾斜姿勢になると、前記接当部２７の第１接当面２７Ｂに接当してそれ以上前方に倒れることを阻止することができ、物干し棚７を非使用姿勢に維持することができるようになっている。尚、非使用姿勢の物干し棚７が垂直姿勢よりも前方に倒れ込んだ傾斜姿勢になっていることから、自重により後方側へ移動することがないようになっている。そして、非使用姿勢の物干し棚７を後方側へ回動させることによって、図４及び図５で示す水平の使用姿勢に戻すことができるようになっている。
【００２９】
前記物干し棚６，７の非使用姿勢の角度は、水平に対して垂直となる９０度の他、どのような角度に設定してもよい。又、物干し棚６又は７の自重を利用することによって、物干し棚６又は７が水平となる使用姿勢側への回動を阻止する構成とすることによって、簡素な構成にすることができる利点があるが、自重を利用しないで物干し棚６又は７を異なる角度で係止可能な係止機構やロック手段等を用いて構成することもできる。
【００３０】
図１３及び図１４に示すように、前記接当部２６，２７それぞれに対して、前記取付部材１８の回動中心部側に位置する箇所に第２接当部２８，２９を備えさせて実施してもよい。これら第２接当部２８，２９を備えさせることによって、図１３に示す脚体４，４の格納状態では、紙面に向かって左側の支持アーム１９の先端部１９Ｓが２つの接当部２６，２８の接当面２６Ａ，２８Ａ間に係止保持させることができるから、図７では、左側の物干し棚６が自重により前方側へ移動することがないように構成しているのに対して、図１３では、２つの接当部２６，２８にて係止保持することで、左側の物干し棚６を非使用姿勢で固定することができる構成になっている。又、図１４に示す脚体４の使用状態にでは、紙面に向かって右側の支持アーム２０の先端部２０Ｓが２つの接当部２７，２９の接当面２７Ａ，２９Ａ間に係止保持させることができるから、図８では、右側の物干し棚７が自重により後方側へ移動することがないように構成しているのに対して、図１４では、２つの接当部２７，２９にて係止保持することで、右側の物干し棚７を非使用姿勢で固定することができる構成になっている。図示していないが、前記支持アーム１９，２０の先端部１９Ｓ，２０Ｓに少なくとも１個のボールをバネを介して左右方向に突出付勢し、そのボールが入り込んでその位置に支持アーム１９，２０を固定する単数又は複数の凹部を取付部材１８の左右側壁のうちの少なくとも一方に備えさせてなるボールデテント機構から、支持アーム１９，２０を固定するようにしてもよい。
【図面の簡単な説明】
【００３１】
【図１】棒状部材の回動部を示す要部の斜視図である。
【図２】取付部材の斜視図である。
【図３】支持アームの斜視図である。
【図４】物干し棚を使用姿勢にした要部の縦断側面図である。
【図５】図４の要部の拡大図である。
【図６】脚体を格納状態にしたときの物干し棚を非使用姿勢にした要部の縦断側面図である。
【図７】図６の要部の拡大図である。
【図８】脚体を使用状態にしたときの物干し棚を非使用姿勢にした要部の縦断側面図である。
【図９】取付部材を上下方向で切断したときの斜視図である。
【図１０】支持アームを示し、（ａ）はそれの平面図、（ｂ）はそれの底面図、（ｃ）はそれの側面図、（ｄ）は横断平面図である。
【図１１】取付部材を示し、（ａ）はそれの平面図、（ｂ）はそれの底面図、（ｃ）はそれの側面図、（ｄ）は縦断側面図である。
【図１２】物干し具の斜視図である。
【図１３】脚体を格納状態にしたときの物干し棚を別の取付部材を用いて非使用姿勢に保持した要部の縦断側面図である。
【図１４】脚体を使用状態にしたときの物干し棚を別の取付部材を用いて非使用姿勢に保持した要部の縦断側面図である。
【符号の説明】
【００３２】
１，２  棒状部材、３  継手、４  脚体、５  支持部材、６，７  物干し棚、８，９  連結部材、１０，１１  横パイプ、１２  筒状部材、１３  円板状部、１４  円板状部、１５  筒状部材、１６  円筒状部、１７Ａ，１７Ｂ  リブ、１７ａ，１７ｂ  孔、１８  取付部材、１８  天板部、１８Ａ，１８Ｂ  左右板部、１８Ｃ  天板部、１８Ｄ  前板部、１８Ｄ，１８Ｅ  前後板部、１８Ｅ  後板部、１８Ｆ  突出片、１８Ｋ  貫通孔、１８Ｔ  突起部、１９，２０  支持アーム、１９Ａ，２０Ａ  アーム本体、１９Ｂ，２０Ｂ  円筒状部、１９Ｃ，２０Ｃ  リブ、１９Ｄ，２０Ｄ  脚部、１９Ｅ，２０Ｅ  取付部材側端、１９Ｓ，２０Ｓ  先端部、２１  棒体、２２  係止部、２３  開口部、２４  突出部、２５  受止部、２６，２７  接当部、２６Ａ，２６Ｂ，２７Ａ，２７Ｂ  接当面、２８，２９  第２接当部、２８Ａ，２９Ａ  接当面、Ｘ，Ｘ１，Ｘ２  水平軸芯
【図１】
2008167926.tif 000003
【図２】
2008167926.tif 000004
【図３】
2008167926.tif 000005
【図４】
2008167926.tif 000006
【図５】
2008167926.tif 000007
【図６】
2008167926.tif 000008
【図７】
2008167926.tif 000009
【図８】
2008167926.tif 000010
【図９】
2008167926.tif 000011
【図１０】
2008167926.tif 000012
【図１１】
2008167926.tif 000013
【図１２】
2008167926.tif 000014
【図１３】
2008167926.tif 000015
【図１４】
2008167926.tif 000016